(57)【特許請求の範囲】
【請求項１】
再生装置本体の正面に情報記録媒体の挿入口を有した操作パネルを配置し、該操作パネルの裏面には前記挿入口に連通する連通孔が形成されたシャッタベース部を配置し、該シャッタベース部には前記シャッタベース部と前記パネルとの間を移動して前記情報記録媒体の挿入口と前記連通孔との間を閉成するシャッタを該シャッタの開閉面に交わる方向に離間した位置に設定されている回動軸を中心に保持し、前記シャッタが前記挿入口と前記連通孔との間を閉成している状態のときに情報記録媒体が前記挿入口から挿入されようとして加わる加重によって撓り、該撓ったシャッタの一部が係合して前記シャッタの開成方向への回動を規制する凸部を前記シャッタの裏面側に位置する前記シャッタベース部に設けたことを特徴とする音響装置。
【請求項２】
前記シャッタが前記挿入口を閉成している状態のときに情報記録媒体が前記挿入口から挿入されようとして加わる加重によって撓った前記シャッタの一部と係合する凹部を備えていることを特徴とする請求項１に記載の音響装置。
【発明の詳細な説明】
【０００１】
【発明の属する技術分野】
本発明は、ＣＤ−ＲＯＭ等を再生する音響装置に関する。
【０００２】
【従来の技術】
従来から、例えば、車載用の音響機器（再生装置）には、情報記録媒体としてのＣＤ−ＲＯＭを再生するものが知られている。
このような音響機器には、図７に示すように、筐体状の再生機器１と操作パネル２とからなる再生装置本体３を備えている。また、操作パネル２の裏面には、ネジ４を介してシャッタベース５が固定され、このシャッタベース５にはシャッタ６が回動可能に装着されている。
【０００３】
再生機器１は、複数枚のＣＤ−ＲＯＭの収納が可能となっており、それらの収納機構部、指定された１枚のＣＤ−ＲＯＭを選択する選択部、選択された１枚のＣＤ−ＲＯＭを再生するされたピックアップ装置（共に図示せず）等が内蔵されている。また、再生装置１は、そのＣＤ−ＲＯＭを挿入する開口１ａと、この開口１ａから先端が突出すると共にその伸縮によってシャッタ６を回動させるレバー７を備えている。
【０００４】
操作パネル２は、再生機器１に保持され、その表面には各種選択スイッチが配置されている。また、操作パネル２には、開口１ａに対向するＣＤ−ＲＯＭ挿入用の挿入口２ａの他、表示部２ｂ、カセットテープ挿入口２ｃ等が設けられている。
【０００５】
シャッタベース５は、開口１ａと挿入口２ａとを連通する連通路５ａと、シャッタ６を回動可能に支持するための軸４ｂ（一方のみ図示）とを備えている。また、シャッタベース５には、スプリング８の一端を支持するピン４ｃが突出形成されている。
【０００６】
シャッタ６は、スプリング８の他端を支持するピン６ａと、スプリング８の付勢力によって挿入口２ａと連通路５ａとの間を閉成するシャッタ本体６ｂと、レバー７の先端が当接可能となっており、そのレバー７が伸張されて先端が当接されたときにシャッタ本体６ｂを回動させるアーム６ｃとを備えている。
【０００７】
このような構成においては、再生機器１側でＣＤ−ＲＯＭの挿入を禁止したい場合、例えば、ＣＤ−ＲＯＭの再生中や複数のＣＤ−ＲＯＭを順次収用させようとしている際のオートチェンジャー駆動中等ではスプリング８の付勢力によってシャッタ本体６ｂが挿入口２ａと連通路５ａとの間を閉成する。
【０００８】
また、ＣＤ−ＲＯＭの挿入を許容できる場合には、レバー７が伸張してアーム６ｃに当接してスプリング８の付勢に抗してシャッタ６を回動させ、挿入口２ａと連通路５ａとの間を開成する
【０００９】
【発明が解決しようとする課題】
ところで、上記の如く構成された情報記録媒体誤挿入防止構造にあっては、例えば、図８（Ａ）に示すように、シャッタ６が挿入口２ａと連通路５ａとの間を閉成している状態にあるとき、図８（Ｂ）に示すように、ＣＤーＲＯＭが下方から挿入されようとすると、ＣＤ−ＲＯＭが薄肉の円盤状であることから、シャッタ本体６ｂの中央寄りにＣＤ−ＲＯＭの先端が当接する。
【００１０】
この当接は、ＣＤ−ＲＯＭを挿入しようとする負荷により、図８（Ｃ）に示すように、シャッタ本体６ｂが幅広であることと相俟ってシャッタ本体６ｂが撓って中央付近が一旦連通路５ａ側に変位し、更なる負荷によってシャッタ本体６ｂの上端縁とシャッタベース５との間にＣＤ−ＲＯＭが入り込んでしまい、シャッタ本体６ｂが不測に回動させられてＣＤ−ＲＯＭの挿入が可能となってしまう虞があった。
【００１１】
また、図９（Ａ）に示すように、シャッタ６が挿入口２ａと連通路５ａとの間を閉成している状態にあるときに、ＣＤーＲＯＭが上方から挿入されようとすると、そのＣＤ−ＲＯＭの挿入負荷によって、図９（Ｂ）に示すように、シャッタ本体６ｂが不測に回動してしまう虞があった。
【００１２】
本発明は、上記問題を解決するため、シャッタが挿入口を閉成している状態にあるときの情報記録媒体が挿入されようとした際の挿入負荷に伴うシャッタの不足な回動を防止することができる音響装置を提供することを目的とする。
【００１３】
【課題を解決するための手段】
その目的を達成するため、請求項１に記載の音響装置は、再生装置本体の正面に情報記録媒体の挿入口を有した操作パネルを配置し、該操作パネルの裏面には前記挿入口に連通する連通孔が形成されたシャッタベース部を配置し、該シャッタベース部には前記シャッタベース部と前記パネルとの間を移動して前記情報記録媒体の挿入口と前記連通孔との間を閉成するシャッタを該シャッタの開閉面に交わる方向に離間した位置に設定されている回動軸を中心に保持し、前記シャッタが前記挿入口と前記連通孔との間を閉成している状態のときに情報記録媒体が前記挿入口から挿入されようとして加わる加重によって撓り、該撓ったシャッタの一部が係合して前記シャッタの開成方向への回動を規制する凸部を前記シャッタの裏面側に位置する前記シャッタベース部に設けたことを特徴とする。
【００１４】
請求項２に記載の音響装置は、請求項１に記載のものにおいて、前記シャッタが前記挿入口を閉成している状態のときに情報記録媒体が前記挿入口から挿入されようとして加わる加重によって撓った前記シャッタの一部と係合する凹部を備えていることを特徴とする。
【００１７】
【発明の実施の形態】
次に、本発明の音響装置の実施の形態を、車載用ＣＤオートチェンジャーに適用し、図面に基づいて説明する。尚、ＣＤオートチェンジャー全体の図面は省略する。
【００１８】
図１において、ＣＤオートチェンジャー１０は、再生装置本体の一部を構成する操作パネル１１と、操作パネル１１の裏面にネジ１２を介して固定されたシャッタベース１３と、シャッタベース１３に回動可能に装着されたシャッタ１４とを備えている。
【００１９】
操作パネル１１は、図示を略する再生機器に保持され、その表面には各種選択スイッチが配置されている。また、操作パネル１１には、再生機器の開口に対向するＣＤ−ＲＯＭ挿入用の挿入口１１ａの他、表示部やカセットテープ挿入口等（図示せず）が設けられている。
【００２０】
シャッタベース１３は、図２（Ａ）及び図３に示すように、再生機器の開口と挿入口１１ａとを連通するための連通路１３ａと、シャッタ１４を回動可能に支持するための軸１３ｂと、スプリング（図示せず）の一端を支持するピン１３ｃとを備えている。また、シャッタベース１３は、連通路１３ａの挿入側開口端に凹部１３ｄと、凸部１３ｅとが形成されている。
【００２１】
凹部１３ｄは、シャッタベース１３の挿入側開口端のうち少なくとも下方に形成されている。また、凸部１３ｅは、その凹部１３ｄよりもさらに下方に位置している。
【００２２】
シャッタ１４は、図２（Ｂ）及び図４に示すように、スプリングの他端を支持するピン１４ａと、スプリングの付勢力によって挿入口１１ａと連通路１３ａとの間を閉成するシャッタ本体１４ｂと、開閉操作用のレバー７の先端が当接可能なアーム１４ｃとを備えている。
【００２３】
また、シャッタ本体１４ｂの表面には、その幅方向中央付近に所定の幅を備え且つ上部寄りに位置する溝１４ｄが形成されている。
【００２４】
このような構成においては、再生機器側でＣＤ−ＲＯＭの挿入を禁止したい場合、例えば、ＣＤ−ＲＯＭの再生中や複数のＣＤ−ＲＯＭを順次収用させようとしている際のオートチェンジャー駆動中等ではスプリングの付勢力によってシャッタ本体１４ｂが挿入口１１ａと連通路１３ａとの間を閉成する。
【００２５】
また、ＣＤ−ＲＯＭの挿入を許容できる場合には、レバー７が伸張してアーム１４ｃに当接してスプリングの付勢に抗してシャッタ１４を回動させ、これにより挿入口１２ａと連通路１３ａとの間を開成する。
【００２６】
一方、図５（Ａ）に示すように、シャッタ１４が挿入口１１ａと連通路１３ａとの間を閉成している状態にあるときにＣＤーＲＯＭが下方から挿入されようとすると、シャッタ本体１４ｂの表面形状に案内されてＣＤ−ＲＯＭの先端がシャッタ本体１４ｂの溝１４ｄに入り込む。
【００２７】
この状態から、さらにＣＤ−ＲＯＭを挿入しようとすると、図５（Ｂ）に示すように、その負荷によってシャッタ本体１４ｂが撓りつつ、連通路１３ａの上方にシャッタ本体１４ｂが当接し、シャッタ本体１４ｂの撓りが規制され、ＣＤ−ＲＯＭのそれ以上の挿入やシャッタ本体１４ｂとシャッタベース１３との間へのＣＤ−ＲＯＭの入り込みが防止される。尚、凹部１３ｄを連通路１３ａの開口全周に形成することによって、撓り状態のシャッタ本体１４ｂの変形規制をより一層確実なものとすることができる。
【００２８】
他方、図６（Ａ）に示すように、シャッタ１４が挿入口１１ａと連通路１３ａとの間を閉成している状態にあるときに、ＣＤーＲＯＭが上方から挿入されようとすると、図６（Ｂ）に示すように、そのＣＤ−ＲＯＭの挿入負荷によってシャッタ本体１４ｂが撓り、凹部１３ｄに当接すると共にＣＤ−ＲＯＭの挿入負荷によってシャッタ本体１４ｂが回動させられようとしてもシャッタ本体１４ｂが凸部１３ｅに当接して不測な回動が防止される。
【００３０】
【発明の効果】
以上説明したように、請求項１に記載の音響装置にあっては、シャッタが挿入口と連通孔との間を閉成している状態のときに情報記録媒体が前記挿入口から挿入されようとして加わる加重によって撓り、該撓ったシャッタの一部が係合して前記シャッタの開成方向への回動を規制する凸部を前記シャッタの裏面側に位置する前記シャッタベース部に設けたため、シャッタが挿入口を閉成している状態にあるときの情報記録媒体が挿入されようとした際の挿入負荷に伴うシャッタの不測な回動、特に、情報記録媒体が下方から斜めに挿入されようとした場合の不測な回動を防止することができる。
【００３１】
請求項２に記載の音響装置にあっては、シャッタが挿入口を閉成している状態のときに情報記録媒体が前記挿入口から挿入されようとして加わる加重によって撓った前記シャッタの一部と係合する凹部を備えているため、シャッタが挿入口を閉成している状態にあるときの情報記録媒体が挿入されようとした際の挿入負荷に伴うシャッタの不測な回動を防止することができる。
【図面の簡単な説明】
【図１】本発明の実施の形態１に係わる情報記録媒体誤挿入防止構造を示し、要部の拡大縦断面図である。
【図２】同じく、（Ａ）はシャッタベースの拡大縦断面図、（Ｂ）はシャッタの拡大縦断面図である。
【図３】同じく、（Ａ）はシャッタベースの平面図、（Ｂ）はシャッタベースの左側面図、（Ｃ）はシャッタベースの正面図、（Ｄ）はシャッタベースの左側面図である。
【図４】同じく、（Ａ）はシャッタの平面図、（Ｂ）はシャッタの左側面図、（Ｃ）はシャッタの正面図、（Ｄ）はシャッタの左側面図である。
同じく、である。
【図５】同じく、（Ａ）は情報記録媒体としてのＣＤ−ＲＯＭが下方から挿入されようとしている状態の説明図、（Ｂ）はシャッタ回動規制状態の説明図である。
【図６】同じく、（Ａ）は情報記録媒体としてのＣＤ−ＲＯＭが上方から挿入されようとしている状態の説明図、（Ｂ）はシャッタ回動規制状態の説明図である。
【図７】同じく、ＣＤチェンジャーの外観分解斜視図である。
【図８】従来の情報記録媒体誤挿入防止構造を示し、（Ａ）は要部の縦断面図、（Ｂ）は情報記録媒体としてのＣＤ−ＲＯＭが下方から挿入されようとしている状態の説明図、（Ｃ）はシャッタ本体が撓った状態の説明図である。
【図９】従来の情報記録媒体誤挿入防止構造を示し、（Ａ）は情報記録媒体としてのＣＤ−ＲＯＭが上方から挿入されようとしている状態の説明図、（Ｂ）はシャッタ本体が撓った状態の説明図である。
【符号の説明】
１１…操作パネル
１１ａ…挿入口
１３…シャッタベース
１３ｄ…凹部
１３ｅ…凸部
１４…シャッタ
１４ｄ…溝
【図１】
0004014371.tif 000002
【図２】
0004014371.tif 000003
【図３】
0004014371.tif 000004
【図４】
0004014371.tif 000005
【図５】
0004014371.tif 000006
【図６】
0004014371.tif 000007
【図７】
0004014371.tif 000008
【図８】
0004014371.tif 000009
【図９】
0004014371.tif 000010